(57)【要約】【課題】使用目的に応じて、複数の電気機器のうち必要なものにのみ電力を供給する。【解決手段】電力供給切替装置において、入力される電力を分岐して出力する複数の出力手段と、出力手段毎に通電と非通電を切り替える切替手段と、出力手段毎に出力電流を検出する電流検出手段と、切替手段によって切り替えられた出力手段毎の通電又は非通電を示すデータを記憶する記憶手段と、切替手段、電流検出手段、及び記憶手段を制御する制御手段を備え、制御手段は、電流検出手段の検出結果に基づき出力手段毎に切替手段を切り替え、出力手段毎の通電又は非通電を示すデータを記憶手段に記憶し、記憶手段に記憶された通電又は非通電を示すデータに基づいて切替手段を切り替える制御を行う。【選択図】　図１
2004007855.tif 000002
【特許請求の範囲】
【請求項１】
入力される電力を分岐して出力する複数の出力手段と、前記出力手段毎に通電と非通電を切り替える切替手段と、前記出力手段毎に出力電流を検出する電流検出手段と、前記切替手段によって切り替えられた出力手段毎の通電又は非通電を示すデータを記憶する記憶手段と、前記切替手段、前記電流検出手段、及び前記記憶手段を制御する制御手段を備え、前記制御手段は、前記電流検出手段の検出結果に基づき前記出力手段毎に前記切替手段を切り替え、出力手段毎の通電又は非通電を示すデータを前記記憶手段に記憶し、前記記憶手段に記憶された通電又は非通電を示すデータに基づいて前記切替手段を切り替える制御を行うことを特徴とする電力供給切替装置。
【請求項２】
請求項１に記載の電力供給切替装置であって、時刻を計時する計時手段と、時刻データを入力する入力手段を備え、前記記憶手段は時刻データを記憶し、前記制御手段は、前記計時手段を制御し、前記記憶手段に記憶された時刻データに基づいて前記複数の出力手段の開閉を制御することを特徴とする電力供給切替装置。
【発明の詳細な説明】
【０００１】
【発明の属する技術分野】
本発明は、電気機器等への電力の供給を切り替える電力供給切替装置に関する。
【０００２】
【従来の技術】
従来、複数の電気機器に電力を供給するために種々の電力供給切替装置が提供されている。図１１は、従来の電力供給切替装置の外観を示す図であり、（ａ）は正面図、（ｂ）は背面図である。
【０００３】
装置正面に、電力供給の通電（オン）又は非通電（オフ）を切り替えるパワースイッチ１２ａ、パワースイッチ１２ａをオンすることによって点灯するＬＥＤ１４ａを備える。
装置背面に、パワースイッチ１２ａのオン又はオフに連動して電力の出力がオン又はオフする連動（ＳＷＩＴＣＨＥＤ）の交流（ＡＣ：Ａｌｔｅｒｎａｔｉｎｇ　Ｃｕｒｒｅｎｔ）コンセント２４ｉ〜２４ｍ、パワースイッチ１２ａのオン又はオフと連動せず常に電力を出力する非連動（ＵＮＳＷＩＴＣＨＥＤ）のＡＣコンセント２４ｎ〜２４ｐ、ＡＣ電源から電力を供給するＡＣコード１１ｂ（ＡＣプラグは図示せず）を備える。
【０００４】
ここで、例として、図１１に示す電力供給切替装置にＡＶ（Ａｕｄｉｏ　＆　Ｖｉｓｕａｌ）機器を接続する場合を考えると、連動コンセント２４ｉ〜２４ｍに、オーディオアンプ、ＦＭ（Ｆｒｅｑｕｅｎｃｙ　Ｍｏｄｕｌａｔｉｏｎ）／ＡＭ（Ａｍｐｌｉｔｕｄｅ　Ｍｏｄｕｌａｔｉｏｎ）チューナ、ＣＤ（Ｃｏｍｐａｃｔ　Ｄｉｓｃ）プレーヤ、カセットテープデッキ等の電源コードを接続し、一括して電力の供給をオン又はオフできるようにする。一方、非連動コンセント２４ｎ〜２４ｐには、ビデオテープデッキ、テレビ受像器等、常時通電して使用する機器の電源コードを接続する。
【０００５】
パーソナルコンピュータ（ＰＣ：Ｐｅｒｓｏｎａｌ　Ｃｏｍｐｕｔｅｒ）、及びその周辺機器であるプリンタ、イメージスキャナ等を使用する場合に使用される、従来の電力供給切替装置の外観を図１２に示す。
【０００６】
ＡＣ電源から電力を供給するＡＣコード１１ｃ（ＡＣプラグは図示せず）、電力供給をオン又はオフするパワースイッチ１２ｂ、供給される電力を出力するＡＣコンセント２４ｑ〜２４ｘ、ＡＣコンセント２４ｑ〜２４ｘの出力のオン又はオフを切り替えるスイッチ３２ｑ〜３２ｘを備える。
【０００７】
ＡＣコンセント２４ｑ〜２４ｘに対応したスイッチ３２ｑ〜３２ｘのうち一括して電力の供給をオン又はオフしたい機器が接続されたＡＣコンセントに対応したスイッチを予めオンにしておくことによって、パワースイッチ１２ｂのオン又はオフの操作をするだけで、複数の機器を一括してオン又はオフすることができる。
【０００８】
図１３は、従来の電力供給切替装置の外観を示す図であり、（ａ）は正面図、（ｂ）は背面図である。図１３に示す電力供給切替装置は、ＡＶ機器の電源コードが接続され、予約した時刻にＡＶ機器をオン又はオフさせる用途、例えば、タイマーによる録音又は録画、目覚まし用のＣＤ再生等に用いられる。
【０００９】
図１３に示す電力供給切替装置は、ＡＣ電源から電力を供給するＡＣコード１１ｃ（ＡＣプラグは図示せず）、電力の供給の常時オン（ＯＮ）、常時オフ（ＯＦＦ）、タイマーによるプログラム動作（Ｐ）を切り替える操作スイッチ３３ａ、時刻を表示する表示部２８ａ、時計の時刻合わせ、プログラムオン時刻、プログラムオフ時刻、オフタイマー時刻を設定する操作スイッチ３３ｂ及び３３ｃ、供給される電力を出力するＡＣコンセント２４ｙ〜２４ｚ、ＡＣコンセント２４ｙ〜２４ｚに通電される場合に点灯するＬＥＤ１４ｂを備える。
【００１０】
操作スイッチ３３ｂは、操作されない場合にはＨＯＬＤの位置へ復帰するスイッチであり、操作スイッチ３３ｂをＲＥＳＥＴの位置に合わせた場合、時計の時刻はリセットされ、表示部２８ａに００：００と表示される。操作スイッチ３３ｂをＣＯＵＮＴの位置に合わせた場合、時計の時刻を進ませるカウント動作になる。
【００１１】
操作スイッチ３３ｃは、通常、ＴＩＭＥの位置で使用され、このとき、表示部２８ａは現在時刻を表示する。操作スイッチ３３ｃをＳＥＴの位置に切り替えた場合、操作スイッチ３３ｂがＨＯＬＤの位置で、表示部２８ａに表示される現在時刻が保持され進まなくなる。操作スイッチ３３ｂをＲＥＳＥＴ又はＣＯＵＮＴの位置に合わせる操作をすることにより、現在時刻を設定することができる。
【００１２】
操作スイッチ３３ｃをＯＮ−Ｐの位置に切り替えた場合、表示部２８ａはプログラムオン時刻（ＡＣコンセント２４ｙ〜２４ｚに通電を開始する時刻）を表示し、操作スイッチ３３ｂを操作することによって、プログラムオン時刻を設定することができる。
【００１３】
操作スイッチ３３ｃをＯＦＦ−Ｐの位置に切り替えた場合、表示部２８ａはプログラムオフ時刻（ＡＣコンセント２４ｙ〜２４ｚへの通電を終了する時刻）を表示し、操作スイッチ３３ｂを操作することによって、プログラムオフ時刻を設定することができる。
【００１４】
操作スイッチ３３ｃをＯＦＦ−Ｔの位置に切り替えた場合、表示部２８ａはオフタイマー時間（操作スイッチ３３ａをＯＦＦに切り替えた場合、ＡＣコンセント２４ｙ〜２４ｚへの通電を終了するまでの時間）を表示し、操作スイッチ３３ｂを操作することによって、オフタイマー時間を設定することができる。
【００１５】
操作スイッチ３３ａをプログラム動作に切り替えた場合、電力供給切替装置は予めプログラムされた時刻に、ＡＣコンセント２４ｙ〜２４ｚへの通電をオン又はオフする。
操作スイッチ３３ａをＯＮからＯＦＦに切り替えた場合、電力供給切替装置は、操作スイッチ３３ａをＯＦＦに切り替えた時刻からオフタイマー時間経過後に、ＡＣコンセント２４ｙ〜２４ｚへの通電をオフする。
【００１６】
【発明が解決しようとする課題】
従来の電力供給切替装置は、電源コードを接続した電気機器への電力供給のオン又はオフを１個のスイッチの操作で一括して行うことができるという利便性があるが、場合によって不要な電気機器の電力供給がオンされることがある。
図１１に示した電力供給切替装置を用いたＡＶ機器の使用例として、オーディオアンプ、ＦＭ／ＡＭチューナ、ＣＤプレーヤ、カセットテープデッキが接続されている場合、ＦＭ放送を聴くときには、オーディオアンプ及びＦＭ／ＡＭチューナへの電力供給がオンされれば良く、ＣＤプレーヤ及びカセットテープデッキへの電力供給は不要である。
【００１７】
一方、ＣＤを再生してカセットテープに録音するときには、オーディオアンプ、ＣＤプレーヤ、及びカセットテープデッキへの電力供給がオンされれば良く、ＦＭ／ＡＭチューナへの電力供給は不要である。このように、各機器の電力供給を一括して常にオンにしていると、使用方法によって、使用しない機器の電力が無駄に消費されることがあった。
【００１８】
使用しない機器の消費電力を節約するため、機器毎のパワースイッチを操作して不要な機器の電力供給をオフすることができる。しかし、その使用後、電力供給切替装置のパワースイッチで一括して電力供給をオフし、後に使用するとき電力供給切替装置のパワースイッチによって電力供給を一括してオンした場合、機器毎のパワースイッチをオフした機器の電力供給がオンされなくなる。このように、その都度、機器毎のパワースイッチを操作しなければならなくなり、一括して電力供給をオンする電力供給切替装置の利点が損なわれることがあった。
【００１９】
図１２に示した電力供給切替装置では、ＡＣコンセント毎に出力のオン又はオフをスイッチで設定しておけば、パワースイッチで一括して電力の供給をオン又はオフすることができる反面、使用方法が変わると、ＡＣコンセント毎のスイッチをその都度オン又はオフしなければならず、手間がかかっていた。
図１３に示した電力供給切替装置では、予め設定した時刻毎に、使用する機器のみを一括して電力の供給をオン又はオフすることはできなかった。
【００２０】
本発明の目的は、ＡＣコンセントの出力のオン又はオフの組合せを予め複数設定しておき、少ないスイッチ操作で、使用する複数の機器の電力供給を一括してオン又はオフすることができる電力供給切替装置を提供することにある。
また、本発明の目的は、ＡＣコンセントの出力のオン又はオフの組合せと動作時刻を予め複数設定しておき、少ないスイッチ操作で、使用する複数の機器の電力供給を一括して予め設定した時刻にオン又はオフすることができる電力供給切替装置を提供することにある。
【００２１】
【課題を解決するための手段】
本願の請求項１に記載の電力供給切替装置は、入力される電力を分岐して出力する複数の出力手段と、前記出力手段毎に通電と非通電を切り替える切替手段と、前記出力手段毎に出力電流を検出する電流検出手段と、前記切替手段によって切り替えられた出力手段毎の通電又は非通電を示すデータを記憶する記憶手段と、前記切替手段、前記電流検出手段、及び前記記憶手段を制御する制御手段を備え、前記制御手段は、前記電流検出手段の検出結果に基づき前記出力手段毎に前記切替手段を切り替え、出力手段毎の通電又は非通電を示すデータを前記記憶手段に記憶し、前記記憶手段に記憶された通電又は非通電を示すデータに基づいて前記切替手段を切り替える制御を行うものである。
【００２２】
本願の請求項２に記載の電力供給切替装置は、請求項１に記載の電力供給切替装置であって、時刻を計時する計時手段と、時刻データを入力する入力手段を備え、前記記憶手段は時刻データを記憶し、前記制御手段は、前記計時手段を制御し、前記記憶手段に記憶された時刻データに基づいて前記複数の出力手段の開閉を制御するものである。
【００２３】
【発明の実施の形態】
図１は、本発明の第１の実施例の電力供給切替装置の構成を示すブロック図である。図２は、本発明の第１の実施例の電力供給切替装置の外観図であり、（ａ）は正面図、（ｂ）は背面図である。
ＡＣプラグ１１は、ＡＣ電源に接続され、ＡＣコード１１ａを介して、電力を電力供給切替装置１０ａに入力する。パワースイッチ１２は、ＡＣコード１１ａからの電力の入力をオン又はオフする。
【００２４】
レギュレータ１３は、パワースイッチ１２がオンである場合に入力されるＡＣ電力から電力供給切替装置１０ａの内部回路を動作させるための直流（ＤＣ：Ｄｉｒｅｃｔ　Ｃｕｒｒｅｎｔ）電力を生成して出力する。ＬＥＤ１４は、レギュレータ１３からＤＣ電力が入力され、パワースイッチ１２がオンである場合に点灯する。抵抗器１５は、ＬＥＤ１４の電流を制限するために接地される。
【００２５】
パワースイッチ１２の出力は、電力供給切替装置１０ａのＡＣ出力ＯＵＴ−１〜ＯＵＴ−８に分岐される。ＡＣ出力ＯＵＴ−１〜ＯＵＴ−８は、各々、図２に示すＡＣコンセント２４ａ〜２４ｈに対応する。ＡＣコンセント２４ａ〜２４ｇの出力ＯＵＴ−１〜ＯＵＴ７のオン又はオフは、リレー１６ａ〜１６ｇによって切り替えられる（ＶＡＲＩＡＢＬＥ）。ＡＣコンセント２４ｈの出力ＯＵＴ−８は、制御されず常にオンである（ＦＩＸ）。
【００２６】
図１に示すＡＣ出力ＯＵＴ−１〜ＯＵＴ−７には、各々、リレー１６ａ〜１６ｇ、電流検出器１７ａ〜１７ｇを備える。リレー１６ａ〜１６ｇはＡＣ出力ＯＵＴ−１〜ＯＵＴ−７のオンとオフを切り替える。電流検出器１７ａ〜１７ｇは、ＡＣ出力ＯＵＴ−１〜ＯＵＴ−７の通電状態を検出する。ＡＣ出力ＯＵＴ−１〜ＯＵＴ−７が電気機器の電源コードに接続され、リレー１６ａ〜１６ｇがオンされ、接続された電気機器の電源スイッチがオンされている場合に、電流検出器１７ａ〜１７ｇによって通電が検出される。電流検出器１７ａ〜１７ｇは、ＡＣ出力ＯＵＴ−１〜ＯＵＴ−７の電線に対しコイルによって電磁結合され、ＡＣ出力ＯＵＴ−１〜ＯＵＴ−７のＡＣ電流により誘導される出力を検波及び平滑化しＤＣ電圧としてコントローラ２０へ出力する。
【００２７】
ＡＣ出力ＯＵＴ−１〜ＯＵＴ−７のうち電流検出器１７ａ〜１７ｇが検出したＡＣ出力毎の通電又は非通電を示すデータをメモリに記憶する場合、ＭＯＤＥ−１〜ＭＯＤＥ−５の５通りの見出し（インデックス）で分けて各々記憶することができる。図２に示すモードボタン２２ａ〜２２ｅは、メモリへの記憶に先立ちインデックスＭＯＤＥ−１〜ＭＯＤＥ−５を指定する操作をするものである。
プログラムボタン２３は、ＡＣ出力ＯＵＴ−１〜ＯＵＴ−７のうち電流検出器１７ａ〜１７ｇが通電を検出した出力を、モードボタン２２ａ〜２２ｅで指定されたインデックスＭＯＤＥ−１〜ＭＯＤＥ−５で記憶する操作をするものである。
【００２８】
ＬＥＤ１８ａ〜１８ｅは、モードボタン２２ａ〜２２ｅによって選択されたＭＯＤＥ−１〜ＭＯＤＥ−５のいずれかに対して、各々、ＬＥＤ１８ａ〜１８ｅが点灯する。図１に示す抵抗器１９ａ〜１９ｅは、各々、ＬＥＤ１８ａ〜１８ｅの電流を制限するためにＬＥＤ１８ａ〜１８ｅに接続される。
【００２９】
コントローラ（ＣＰＵ：Ｃｅｎｔｒａｌ　Ｐｒｏｃｅｓｓｉｎｇ　Ｕｎｉｔ）２０は、電力供給切替装置１０ａを制御する。ＣＰＵ２０には、電流検出器１７ａ〜１７ｇの検出信号、モードボタン２２ａ〜２２ｅ、プログラムボタン２３の操作信号が入力される。ＣＰＵ２０は、リレー１６ａ〜１６ｇの制御、ＬＥＤ１８ａ〜１８ｅの点灯制御、メモリ２１の書き込み及び読み出しの制御を行う。
不揮発性のメモリ２１は、ＣＰＵ２０に接続され、ＡＣ出力ＯＵＴ−１〜ＯＵＴ−７の通電又は非通電を示すデータ、インデックスのデータ、ＣＰＵ２０の実行プログラムを記憶する。
【００３０】
図３は、本発明の第１の実施例の電力供給切替装置１０ａの動作を示すフローチャートである。パワースイッチ１２がオンされると動作を開始し（Ｓ１）、ＣＰＵ２０が起動しメモリ２１から実行プログラムを読み出す。ＣＰＵ２０は、メモリ２１に記憶されたＡＣ出力ＯＵＴ−１〜ＯＵＴ−７の通電又は非通電を示すデータ及びインデックスのデータを読み出し、リレー１６ａ〜１６ｇをオン又はオフに切り替え、ＬＥＤ１８ａ〜１８ｅのうちインデックスに対応するＬＥＤを点灯させる（Ｓ２）。
【００３１】
ＣＰＵ２０はモードボタン２２ａ〜２２ｅ又はプログラムボタン２３の入力を待つ（Ｓ３）。ボタンが押されると（Ｓ３でＹＥＳ）、ＣＰＵ２０は、押されたボタンがモードボタン２２ａ〜２２ｅであるかプログラムボタン２３であるかを判定する（Ｓ４）。
【００３２】
モードボタン２２ａ〜２２ｅのいずれかが押された場合、ＣＰＵ２０は、モードボタン２２ａ〜２２ｅのうち押されたモードボタンの示すＭＯＤＥ−１〜ＭＯＤＥ−５のいずれかをインデックスとするＡＣ出力ＯＵＴ−１〜ＯＵＴ−７の通電又は非通電を示すデータをメモリ２１から読み出し、リレー１６ａ〜１６ｇのオン又はオフの切替を制御し、モードボタン２２ａ〜２２ｅに対応するＬＥＤ１８ａ〜１８ｅのうち押されたモードボタンに対応するＬＥＤを点灯させる（Ｓ５）。
【００３３】
ＣＰＵ２０は、現在のＡＣ出力ＯＵＴ−１〜ＯＵＴ−７の通電又は非通電を示すデータをメモリに記憶する制御をする（Ｓ６）。ここで、パワースイッチ１２がオフされると（Ｓ７でＹＥＳ）、終了する（Ｓ１４）。終了前にＳ６で記憶されたＡＣ出力ＯＵＴ−１〜ＯＵＴ−７の通電又は非通電を示すデータが、次にパワースイッチ１２をオンしたとき、優先的にＣＰＵ２０によって読み出される。
パワースイッチ１２がオフされなければ（Ｓ７でＮＯ）、ボタンの入力待ち（Ｓ３）に戻り、Ｓ３以後の動作を行う。
【００３４】
Ｓ３で押されたボタンがプログラムボタン２３であると判定された場合、ＣＰＵ２０は、リレー１６ａ〜１６ｇを全部オンに切り替え、ＬＥＤ１８ａ〜１８ｅを全部点灯させる（Ｓ８）。
ＣＰＵ２０はモードボタン２２ａ〜２２ｅの入力を待つ（Ｓ９）。使用者は、電力の供給を切り替えて使用しようとする電気機器の電源コードをＡＣコンセント２４ａ〜２４ｈに接続し、電気機器の電源スイッチを使用状態に合わせて各々オン又はオフにする。
【００３５】
使用者は、モードボタン２２ａ〜２２ｅのいずれかを押す（Ｓ９でＹＥＳ）。ＣＰＵ２０は、電流検出器１７ａ〜１７ｇによってＡＣ出力ＯＵＴ−１〜ＯＵＴ−７の通電状態を判定する。ＣＰＵ２０は、接続された電気機器の電源スイッチがオフのＡＣ出力、又は電気機器が接続されていないＡＣ出力を非通電と判定し、リレー１６ａ〜１６ｇのうち非通電状態のＡＣ出力に対応するリレーをオフに切り替える（Ｓ１０）。
【００３６】
ＣＰＵ２０は、Ｓ１０の処理を終えると、モードボタン２２ａ〜２２ｅに対応するＬＥＤ１８ａ〜１８ｅのうち押されたモードボタンに対応するＬＥＤを点灯させ（Ｓ１１）、プログラムボタン２３の入力を待つ（Ｓ１２）。プログラムボタン２３が押されると（Ｓ１２でＹＥＳ）、Ｓ１０で判定されたＡＣ出力毎の通電又は非通電を示すデータが、メモリに記憶される（Ｓ１３）。
【００３７】
ＣＰＵ２０は、現在のＡＣ出力ＯＵＴ−１〜ＯＵＴ−７の通電又は非通電を示すデータをメモリに記憶する制御をする（Ｓ６）。ここで、パワースイッチ１２がオフされると（Ｓ７でＹＥＳ）、終了する（Ｓ１４）。終了前にＳ６で記憶されたＡＣ出力ＯＵＴ−１〜ＯＵＴ−７の通電又は非通電を示すデータが、次にパワースイッチ１２をオンしたとき、優先的にＣＰＵ２０によって読み出される。
パワースイッチ１２がオフされなければ（Ｓ７でＮＯ）、ボタンの入力待ち（Ｓ３）に戻り、Ｓ３以後の動作を行う。
【００３８】
本実施例の電力供給切替装置は、Ｓ９で、モードボタン２２ａ〜２２ｅのうち既にメモリにインデックスとして記憶されたモードボタンが押された場合、新しく判定されたＡＣ出力毎の通電又は非通電を示すデータがメモリに上書きされる。
【００３９】
第２の実施例として、第１の実施例の電力供給切替装置に計時手段（タイマー）を追加した構成の電力供給切替装置について説明する。
図４は、本発明の第２の実施例の電力供給切替装置の構成を示すブロック図である。図５は、本発明の第２の実施例の電力供給切替装置の外観図であり、（ａ）は正面図、（ｂ）は背面図である。
【００４０】
ＡＣプラグ１１は、ＡＣ電源に接続され、ＡＣコード１１ａを介して、電力を電力供給切替装置１０ｂに入力する。主リレー２５は、ＣＰＵ２０に接続され、ＣＰＵ２０に接続されたパワースイッチ２６の操作によって、ＡＣコード１１ａからの電力の入力をオン又はオフする。
【００４１】
レギュレータ１３ａは、ＡＣコード１１ａを介して入力されるＡＣ電力から電力供給切替装置１０ｂの内部回路を動作させるためのＤＣ電力を生成して出力する。
レギュレータ１３ｂは、主リレー１２がオンである場合に入力されるＡＣ電力からＤＣ電力を生成して出力する。ＬＥＤ１４は、レギュレータ１３ｂからＤＣ電力が入力され、主リレー１２がオンである場合に点灯する。抵抗器１５は、ＬＥＤ１４の電流を制限するために接地される。
【００４２】
主リレー２５の出力は、電力供給切替装置１０ｂのＡＣ出力ＯＵＴ−１〜ＯＵＴ−８に分岐される。ＡＣ出力ＯＵＴ−１〜ＯＵＴ−８は、各々、図５に示すＡＣコンセント２４ａ〜２４ｈに対応する。ＡＣコンセント２４ａ〜２４ｇの出力ＯＵＴ−１〜ＯＵＴ７のオン又はオフは、リレー１６ａ〜１６ｇによって切り替えられる（ＶＡＲＩＡＢＬＥ）。ＡＣコンセント２４ｈの出力ＯＵＴ−８は、制御されず常にオンである（ＦＩＸ）。
【００４３】
ＡＣ出力ＯＵＴ−１〜ＯＵＴ−７には、各々、リレー１６ａ〜１６ｇ、電流検出器１７ａ〜１７ｇを備える。リレー１６ａ〜１６ｇはＡＣ出力ＯＵＴ−１〜ＯＵＴ−７のオンとオフを切り替える。電流検出器１７ａ〜１７ｇは、ＡＣ出力ＯＵＴ−１〜ＯＵＴ−７の通電状態を検出する。ＡＣ出力ＯＵＴ−１〜ＯＵＴ−７が電気機器の電源コードに接続され、リレー１６ａ〜１６ｇがオンされ、接続された電気機器の電源スイッチがオンされている場合に、電流検出器１７ａ〜１７ｇによって通電が検出される。電流検出器１７ａ〜１７ｇは、ＡＣ出力ＯＵＴ−１〜ＯＵＴ−７の電線に対しコイルによって電磁結合され、ＡＣ出力ＯＵＴ−１〜ＯＵＴ−７のＡＣ電流により誘導される出力を検波及び平滑化しＤＣ電圧としてＣＰＵ２０へ出力する。
【００４４】
ＡＣ出力ＯＵＴ−１〜ＯＵＴ−７のうち電流検出器１７ａ〜１７ｇが検出したＡＣ出力毎の通電又は非通電を示すデータをメモリに記憶する場合、ＭＯＤＥ−１〜ＭＯＤＥ−５の５通りのインデックスで分けて各々記憶することができる。図５に示すモードボタン２２ａ〜２２ｅは、メモリへの記憶に先立ちインデックスＭＯＤＥ−１〜ＭＯＤＥ−５を指定する操作をするものである。
プログラムボタン２３は、ＡＣ出力ＯＵＴ−１〜ＯＵＴ−７のうち電流検出器１７ａ〜１７ｇが通電を検出した出力を、モードボタン２２ａ〜２２ｅで指定されたインデックスＭＯＤＥ−１〜ＭＯＤＥ−５で記憶するものである。
【００４５】
ＬＥＤ１８ａ〜１８ｅは、モードボタン２２ａ〜２２ｅによって選択されたＭＯＤＥ−１〜ＭＯＤＥ−５のいずれかに対して、各々、ＬＥＤ１８ａ〜１８ｅが点灯する。図１に示す抵抗器１９ａ〜１９ｅは、各々、ＬＥＤ１８ａ〜１８ｅの電流を制限するためにＬＥＤ１８ａ〜１８ｅに接続される。
【００４６】
ＣＰＵ２０は電力供給切替装置１０ｂを制御する。ＣＰＵ２０には、電流検出器１７ａ〜１７ｇの検出信号、モードボタン２２ａ〜２２ｅ、プログラムボタン２３、パワースイッチ２６の操作信号が入力される。ＣＰＵ２０は、リレー１６ａ〜１６ｇの制御、ＬＥＤ１８ａ〜１８ｅの点灯制御、メモリ２１の書き込み及び読み出し、時刻を計時するタイマー２７の制御を行う。
【００４７】
表示部２８は、ＣＰＵ２０に接続されタイマー２７が計時した時刻を表示する。操作部２９は、ＣＰＵ２０に接続され、クロックセットボタン２９ａ、プログラムセットボタン２９ｂ、＋−ボタン２９ｃ、送り（ＮＥＸＴ）ボタン２９ｄ、プログラムタイマー（ＰＴ）ボタン２９ｅを備える。
【００４８】
クロックセットボタン２９ａは、タイマー２７の時刻を合わせるためのボタンである。使用者は、クロックセットボタン２９ａを押した後、ＮＥＸＴボタン２９ｄを押す毎に、時、分、又は秒の調整対象を切り替え、＋−ボタン２９ｃによって、時、分、又は秒を進めて又は戻して、時刻を合わせる。時刻を合わせた後、クロックセットボタン２９ａを押すことにより、タイマー２７は合わせた時刻から計時を開始する。
【００４９】
プログラムセットボタン２９ｂは、タイマー２７のプログラムオン時刻（ＡＣ出力の通電開始時刻）、プログラムオフ時刻（ＡＣ出力の通電終了時刻）等を設定するためのボタンである。使用者は、プログラムセットボタン２９ｂを押した後、ＮＥＸＴボタン２９ｄを押す毎に、時、分、又は秒といった調整対象を切り替え、＋−ボタン２９ｃによって、時、分、又は秒を進めて又は戻して、プログラムオン時刻、プログラムオフ時刻を入力し、プログラムセットボタン２９ｂを押すことによって、プログラムオン時刻、プログラムオフ時刻は、メモリ２１に記憶される。
【００５０】
ＰＴボタン２９ｅは、プログラムタイマー動作をオン又はオフするボタンであり、ＰＴボタン２９ｅをオンにした場合、ＣＰＵ２０は、プログラムセットボタン２９ｂの操作によって設定されたプログラムオン時刻のＡＣ出力の通電開始、プログラムオフ時刻のＡＣ出力の通電終了の制御を行う。
ＬＥＤ３０は、ＰＴボタン２９ｅがオンにされた場合、点灯する。抵抗器３１は、ＬＥＤ３０の電流を制限するために接続される。
【００５１】
不揮発性のメモリ２１は、ＣＰＵ２０に接続され、ＡＣ出力ＯＵＴ−１〜ＯＵＴ−７の通電又は非通電を示すデータ、インデックスのデータ、プログラムオン時刻、プログラムオフ時刻、ＣＰＵ２０の実行プログラムを記憶する。
【００５２】
図６は、本発明の第２の実施例の電力供給切替装置１０ｂの動作を示すフローチャートである。第２の実施例の電力供給切替装置１０ｂは、図３のフローチャートに示した動作を行うほか、図６のフローチャートに示す時刻データの記憶動作を行う。
【００５３】
パワースイッチ２５の操作によって主リレー１２がオンされると動作を開始し（ＳＴ１）、プログラムセットボタン２９ｂが押された場合（ＳＴ２でＹＥＳ）、ＣＰＵ２０は、プログラム番号、インデックス（ＭＯＤＥ−１〜ＭＯＤＥ−５）、曜日、オン時刻（ＡＣ出力の通電開始時刻）、オフ時刻（ＡＣ出力の通電終了時刻）の入力を待つ。使用者によって、プログラム番号、インデックス、曜日、オン時刻、オフ時刻が入力され（ＳＴ３）、プログラムセットボタン２９ｂが押されると（ＳＴ４でＹＥＳ）、プログラム番号、インデックス、曜日、オン時刻、オフ時刻が、メモリ２１に記憶される（ＳＴ５）。
【００５４】
ここで、パワースイッチ２６によって主リレー２５がオフされると（ＳＴ６でＹＥＳ）、終了する（ＳＴ７）。
主リレー２６がオフされなければ（ＳＴ６でＮＯ）、プログラムセットボタンが押されたか否かの判断（ＳＴ２）に戻り、ＳＴ２以後の動作を行う。
【００５５】
図７は、本発明の第１又は第２の実施例の電力供給切替装置に電気機器を接続した構成を示す図である。
電力供給切替装置１０ａ又は１０ｂにおいて、ＡＣ出力ＯＵＴ−１にＦＭ／ＡＭチューナ４１、ＡＣ出力ＯＵＴ−２にＣＤプレーヤ４２、ＡＣ出力ＯＵＴ−３にカセットテープデッキ４３、ＡＣ出力ＯＵＴ−４にＭＤ（Ｍｉｎｉ　Ｄｉｓｃ）デッキ４４、ＡＣ出力ＯＵＴ−８にオーディオアンプ４５がそれぞれ接続され、ＡＣ出力ＯＵＴ−５〜ＯＵＴ−７には何も接続されていない構成である。オーディオアンプ４５には、左スピーカ４６、右スピーカ４７がそれぞれ接続される。オーディオアンプ４５は、常時使用するので、常に電力が供給されるＡＣ出力ＯＵＴ−８に接続している。
【００５６】
図８は、本発明の第１の実施例の電力供給切替装置のメモリに記憶される通電又は非通電を示すデータの例を示す図である。モードボタン２２ａ（ＭＯＤＥ−１）はＦＭ／ＡＭ放送を受信して聴く場合であり、ＦＭ／ＡＭチューナ４１及びオーディオアンプ４５にのみ電力が供給される。モードボタン２２ｂ（ＭＯＤＥ−２）はＣＤを再生して聴く場合であり、ＣＤプレーヤ４２及びオーディオアンプ４５にのみ電力が供給される。モードボタン２２ｃ（ＭＯＤＥ−３）はカセットテープ又はＭＤを再生して聴く場合であり、カセットテープデッキ４３、ＭＤデッキ４４、及びオーディオアンプ４５にのみ電力が供給される。モードボタン２２ｄ（ＭＯＤＥ−４）はＣＤを再生してＭＤに録音する場合であり、ＣＤプレーヤ４２、ＭＤデッキ４４、及びオーディオアンプ４５にのみ電力が供給される。また、モードボタン２２ｅ（ＭＯＤＥ−５）は全てのＡＣ出力で電力が供給される。
【００５７】
図９は、本発明の第２の実施例の電力供給切替装置のメモリに記憶される通電又は非通電を示すデータの例を示す図である。モードボタン２２ａ（ＭＯＤＥ−１）はＦＭ／ＡＭ放送を受信して聴く場合であり、ＦＭ／ＡＭチューナ４１及びオーディオアンプ４５にのみ電力が供給される。モードボタン２２ｂ（ＭＯＤＥ−２）はＣＤを再生して聴く場合であり、ＣＤプレーヤ４２及びオーディオアンプ４５にのみ電力が供給される。モードボタン２２ｃ（ＭＯＤＥ−３）はカセットテープ又はＭＤを再生して聴く場合であり、カセットテープデッキ４３、ＭＤデッキ４４、及びオーディオアンプ４５にのみ電力が供給される。モードボタン２２ｄ（ＭＯＤＥ−４）はＦＭ放送又はＡＭ放送をカセットテープに録音する場合であり、ＦＭ／ＡＭチューナ４１、カセットテープデッキ４３、及びオーディオアンプ４５にのみ電力が供給される。また、モードボタン２２ｅ（ＭＯＤＥ−５）はＦＭ放送又はＡＭ放送をＭＤに録音する場合であり、ＦＭ／ＡＭチューナ４１、ＭＤデッキ４４、及びオーディオアンプ４５にのみ電力が供給される。
【００５８】
図１０は、本発明の第２の実施例の電力供給切替装置のメモリに記憶される時刻データの例を示す図である。
プログラム番号ＰＲＯＧＲＡＭ１は、インデックスＭＯＤＥ−２としてＣＤを再生して聴く場合であり、月曜日から金曜日、プログラムオン時刻７：００からプログラムオフ時刻８：００まで、ＣＤプレーヤ４２及びオーディオアンプ４５にのみ電力が供給される。
【００５９】
プログラム番号ＰＲＯＧＲＡＭ２は、インデックスＭＯＤＥ−４としてＦＭ放送又はＡＭ放送をカセットテープに録音する場合であり、火曜日、プログラムオン時刻１１：００からプログラムオフ時刻１２：００まで、ＦＭ／ＡＭチューナ４１、カセットテープデッキ４３、及びオーディオアンプ４５にのみ電力が供給される。
プログラム番号ＰＲＯＧＲＡＭ３は、インデックスＭＯＤＥ−５としてＦＭ放送又はＡＭ放送をＭＤに録音する場合であり、土曜日、プログラムオン時刻２３：００からプログラムオフ時刻０：００まで、ＦＭ／ＡＭチューナ４１、ＭＤデッキ４４、及びオーディオアンプ４５にのみ電力が供給される。
【００６０】
本実施例の電力供給切替装置は、ＡＣ出力を８系統とし、そのうち１系統を非通電にできない構成とし、モードボタンの数を５としたが、本発明はこの構成に限らず、任意に構成して実施することができる。
【００６１】
【発明の効果】
本発明の電力供給切替装置によれば、複数の電気機器のうち電力を供給する電気機器を一括して切り替えることができる。不要な機器の電力供給を停止し、無駄な電力消費を防止することができる。複数の電気機器のうち電力を供給する電気機器を一括して、予め設定した時刻に電力供給を開始又は終了することができる。
【図面の簡単な説明】
【図１】本発明の第１の実施例の電力供給切替装置の構成を示すブロック図である。
【図２】本発明の第１の実施例の電力供給切替装置の外観図である。
【図３】本発明の第１の実施例の電力供給切替装置の動作を示すフローチャートである。
【図４】本発明の第２の実施例の電力供給切替装置の構成を示すブロック図である。
【図５】本発明の第２の実施例の電力供給切替装置の外観図である。
【図６】本発明の第２の実施例の電力供給切替装置の動作を示すフローチャートである。
【図７】本発明の第１又は第２の実施例の電力供給切替装置に電気機器を接続した構成を示す図である。
【図８】本発明の第１の実施例の電力供給切替装置のメモリに記憶される通電又は非通電を示すデータの例を示す図である。
【図９】本発明の第２の実施例の電力供給切替装置のメモリに記憶される通電又は非通電を示すデータの例を示す図である。
【図１０】本発明の第２の実施例の電力供給切替装置のメモリに記憶される時刻データの例を示す図である。
【図１１】従来の電力供給切替装置の外観を示す図である。
【図１２】従来の電力供給切替装置の外観を示す図である。
【図１３】従来の電力供給切替装置の外観を示す図である。
【符号の説明】
１０ａ、１０ｂ　電力供給切替装置
１１　ＡＣプラグ
１１ａ、１１ｂ、１１ｃ　ＡＣコード
１２、１２ａ、１２ｂ、２６　パワースイッチ
１３、１３ａ、１３ｂ　レギュレータ
１４、１４ａ、１４ｂ、１８ａ〜１８ｅ、３０　ＬＥＤ
１５、１９ａ〜１９ｅ、３１　抵抗器
１６ａ〜１６ｇ　リレー
１７ａ〜１７ｇ　電流検出器
２０　コントローラ（ＣＰＵ）
２１　メモリ
２２ａ〜２２ｅ　モードボタン
２３　プログラムボタン
２４ａ〜２４ｘ　ＡＣコンセント
２５　主リレー
２７　タイマー
２８、２８ａ　表示部
２９　操作部
２９ａ　クロックセットボタン
２９ｂ　プログラムセットボタン
２９ｃ　＋−ボタン
２９ｄ　送りボタン
２９ｅ　プログラムタイマーボタン
３２ｑ〜３２ｘ　スイッチ
３３ａ、３３ｂ、３３ｃ　操作スイッチ
４１　ＦＭ／ＡＭチューナ
４２　ＣＤプレーヤ
４３　カセットテープデッキ
４４　ＭＤデッキ
４５　オーディオアンプ
４６、４７　スピーカ
【図１】
2004007855.tif 000003
【図２】
2004007855.tif 000004
【図３】
2004007855.tif 000005
【図４】
2004007855.tif 000006
【図５】
2004007855.tif 000007
【図６】
2004007855.tif 000008
【図７】
2004007855.tif 000009
【図８】
2004007855.tif 000010
【図９】
2004007855.tif 000011
【図１０】
2004007855.tif 000012
【図１１】
2004007855.tif 000013
【図１２】
2004007855.tif 000014
【図１３】
2004007855.tif 000015